(57)【要約】【課題】壁面インテリアの作業経験の無い者でも簡単、且つ、作業時間を大幅に短縮して設置することが可能な木質化粧板を提供する。【解決手段】横方向に平行になるよう等脚台形状の溝部２を形成した下地パネル１を壁面に固定し、該溝部２に差し込める形状の差し込み部５を設けたウッドタイル３、又はウッドタイル４を差し込む。溝部に沿ってウッドタイルを挿入するため、ウッドタイルのずれが生じず、作業経験を問わずに短時間で設置することができる。【選択図】図４
0003203628.tif 000002
【実用新案登録請求の範囲】
【請求項１】
下地パネルの横方向に平行となるよう等脚台形状の溝部を形成し、ウッドタイルには該溝部に差し込み装着することのできる等脚台形状の差し込み部が設けられていることを特徴とする木質化粧板。
【請求項２】
前記下地パネルの外縁に、額縁を設置することを特徴とする請求項1記載の木質化粧板。
【考案の詳細な説明】
【技術分野】
【０００１】
本考案は、建物内の壁面にインテリアとして貼り付けられる、木質化粧板に関するものである。
【背景技術】
【０００２】
建物内の壁面に、直接、或いは下地材となる合板をビス等で固定した上に、様々な形状をした集成材を一つ一つ手作業により、接着剤や両面接着テープを用いて貼り付ける木質化粧板が個人宅や店舗等のインテリアとして親しまれている（特許文献１）。
【０００３】
通常、集成材を貼り付ける場合、一番上、或いは一番下側の列から横一列毎、順番に貼り付けていく。しかし、集成材が横一列に上下左右にずれることなく、寸分違わず一直線に貼り付ける作業は、熟練者の技術が必要であり、そのような技術を備えていない者が木質化粧板を設置する場合、貼り付けた集成材に上下又は左右の微妙なずれが生じ易くなる。特に、集成材の貼り付け作業が中盤から終盤へと進むに従って、設置者の疲労度が増し、また、集中力が散漫になり易く、そのような場合には集成材が上下、或いは左右に微妙にずれて貼られる可能性が高くなっていく。このように、手作業によって、集成材一つ一つの微妙なずれを生じずに、横一列毎、正確に壁面に貼り付けていく作業は、卓越した熟練者の技術力や注意力が必要となり、また設置に多くの時間が必要となる。集成材を壁面に貼る作業経験のない者には難しく、設置作業に膨大な時間を費やすこととなる。
【０００４】
接着剤を用いて壁面や下地材に集成材を貼り付けた後に、集成材がずれて貼り付けられていたことを発見した場合、一度接着剤で貼り付けた集成材を壁面や下地材から剥がす必要が生じる。その後、改めて集成材を貼り直すといった作業は煩わしく、更に多くの作業時間を費やすこととなる。作業経験の無い者がインテリアとして購入しても、自ら設置する場合には困難を極める。そのような場合、専門の設置業者に依頼することが考えられるが、設置業者に報酬を支払う必要が生じ、気軽にインテリアとして設置することはできなくなるため、木質化粧板の購入は慎重に成らざるを得ない。
【０００５】
また、集成材に接着剤を塗布し、一つずつ貼り付けていく場合、当初、集成材を正確に貼り付けることができても、接着剤が乾いて壁面に固定されるまでの間に集成材自体の重量により下方向にずれ落ちることや、また、壁面に揺れが生じた場合に集成材が下方向にずれ落ちる可能性もあり得る。
【先行技術文献】
【特許文献】
【０００６】
【特許文献１】実用新案登録第３１７３６６３号
【考案の概要】
【考案が解決しようとする課題】
【０００７】
本考案は、壁面インテリアの設置作業経験の無い者でも簡単、且つ、作業時間を大幅に短縮して設置することが可能な木質化粧板を提供するものである。
【課題を解決するための手段】
【０００８】
本考案は、木質化粧板において、下地材となる下地パネルの横方向に平行となるよう等脚台形状の溝部を形成し、ウッドタイルには該溝部に差し込み装着することのできる等脚台形状の差し込み部が設けられていることを特徴とするものである。下地パネルに溝部を形成することにより、溝部にウッドタイルの差し込み部を挿入すれば、ウッドタイルを正確に装着することができる。
【考案の効果】
【０００９】
本考案の木質化粧板は、予め下地材となる下地パネルの横方向に平行となるよう溝部を形成することにより、下地パネルに装着するウッドタイルが溝部に沿って簡単、且つ、ずれを生じることなく横一列に装着することができるため、手軽に設置でき、設置時間の短縮に繋がるという利点がある。
【図面の簡単な説明】
【００１０】
【図１】図１は下地パネルの斜視図である。
【図２】図２はウッドタイルの斜視図である。
【図３】図３はウッドタイルの斜視図である。
【図４】図４は本考案の実施形態を示した説明図である。（実施例１）
【図５】図５は本考案の実施形態を示した説明図である。（実施例１）
【図６】図６は本考案の実施形態を示した説明図である。（実施例２）
【図７】図７は本考案の実施形態を示した説明図である。（実施例２）
【考案を実施するための形態】
【００１１】
壁面インテリアとして木質化粧板を設置する際、下地パネルにウッドタイルを装着するときの労力の軽減及び時間を短縮するという目的を実現した。
【実施例１】
【００１２】
図１は、本考案の下地パネルの斜視図であって、下地パネル１に横方向で平行になるよう、溝部２を形成している。溝部２の形状は等脚台形状である。下地パネルの素材は、厚さが９ｍｍから１２ｍｍのラワン合板、或いはシナ合板からなる。なお、下地パネルは、予め壁面にビス等で固定しておく。
【００１３】
図２は、本考案のウッドタイルの斜視図であって、ウッドタイル３の上面形状は長方形である。ウッドタイル３は、長手方向の長さＬが異なる、少なくとも２種類以上のウッドタイルを用意している。但し、上面形状が長方形に限る趣旨ではなく、正方形でもよく、他にも上面の角を面取りした形状のウッドタイルや、上面の角をブラッシングして丸くした形状のウッドタイルを用いることもできる。ウッドタイル３の素材は、杉や松等の木材を使用している。
【００１４】
図３は、本考案のウッドタイルの斜視図であって、ウッドタイル４の高さＨはウッドタイル３の高さＨに比べて高くなっている。図２で説明したウッドタイル３と同様に、ウッドタイル４の上面形状も長方形であるが、上面形状が長方形に限る趣旨ではなく、正方形でもよく、他にも上面の角を面取りした形状のウッドタイルや、上面の角をブラッシングして丸くした形状のウッドタイルを用いることもできる。ウッドタイル４の素材も、杉や松等の木材を使用している。
【００１５】
つまり、本考案において、木質化粧板として用いるウッドタイルは、下地パネルに同一形状のウッドタイルのみを装着することができるほか、高さＨの高さが異なり、或いは長手方向の長さＬの異なる、２種類以上の形状の異なるウッドタイルを組み合わせて装着することができる。
【００１６】
図４は、本考案の実施形態を示した説明図であって、下地パネル１に形成された溝部２に沿ってウッドタイル３、又はウッドタイル４を順番に挿入し、所望の位置に固定する場合、溝部２に接着剤を塗布してウッドタイルを固定する。溝部２とウッドタイル３及びウッドタイル４の差し込み部５は共に等脚台形状であるが、溝部２に差し込み挿入できるようにするため、下地パネルの溝部２に比べ、ウッドタイルの差し込み部５は形状が僅かに小さくなる。そのため、下地パネルにウッドタイルを固定する方法として接着剤を用いる。
【００１７】
図５は、本考案の実施形態を示した説明図であって、ウッドタイルは長さＬや高さＨの異なるものを交互に挿入することによって、意匠的にも美感を伴った木質化粧板が完成する。図５に示された木質化粧板は、あくまで一例に過ぎないので、各々設置者の欲するままに好みの形状のウッドタイルを交互、或いはランダムに挿入することにより、個性豊かな壁面インテリアを設置することができる。
【００１８】
下地パネルは、設置する壁の面積に応じて、上下左右の各方向に隣接して何枚でも繋げて設置することが可能であるため、店舗等の大きな壁面であっても、広くインテリアとして設置することができる。
【実施例２】
【００１９】
図６は、本考案の実施形態を示した説明図であって、下地パネル１を壁面に固定した後、下地パネルの左右何れか一方側に額縁６を設置し、ビス等で固定する。例えば、図６で示したとおり、下地パネルの左側に額縁を設置した場合、額縁を設置していない右側からウッドタイル３、又はウッドタイル４を溝部２に沿って順番に挿入する。
【００２０】
図７は、本考案の実施形態を示した説明図であって、下地パネルの外縁を囲むように額縁６を設置している。図６で説明したとおり、下地パネルにウッドタイルを全て挿入し終えたら、右側にも額縁を設置することで、下地パネルからウッドタイルが脱落することを防止できる。そのため、ウッドタイルを溝部に固定する接着剤を塗布する必要がなくなり、更なる設置作業時間の短縮に繋がる。
【００２１】
額縁の素材には、ウッドタイルとの調和が重要であるため、主に木材を使用することが多くなると考えられるが、木材に限る必要はなく、金属やプラスティック等の素材を使用することもできる。また、下地パネルの外縁を囲むように、下地パネルの上側及び下側にも額縁を設置することにより、額縁付き壁面インテリアとして意匠的にも美感を伴うことが可能となる。
【産業上の利用可能性】
【００２２】
壁面インテリアの設置作業経験を要せず、手軽に設置することが可能となるため、自宅のみならず、店舗や公共施設等、幅広い建物の壁面インテリアとして設置することが可能である。
【符号の説明】
【００２３】
１    下地パネル
２    溝部
３    ウッドタイル
４    ウッドタイル
５    差し込み部
６    額縁
Ｌ    ウッドタイルの長さ
Ｈ    ウッドタイルの高さ
【図１】
0003203628.tif 000003
【図２】
0003203628.tif 000004
【図３】
0003203628.tif 000005
【図４】
0003203628.tif 000006
【図５】
0003203628.tif 000007
【図６】
0003203628.tif 000008
【図７】
0003203628.tif 000009